(57)【要約】【課題】  本発明は、車載装置及び車載装置の制御方法に関し、例えばカーオーディオ装置に適用して、前席と後席とで異なるコンテンツを楽しむ場合でも、それぞれ対応する音声を明瞭に聴取することができるようにする。【解決手段】  本発明は、前席及び後席の搭乗者に異なるコンテンツを提供する場合には、後席側のスピーカ３ＲＬ、３ＲＲを消音して、後席用のモニタ４Ｒを介して後席の音声信号を提供する。【選択図】        図１
2006248253.tif 000002
【特許請求の範囲】
【請求項１】
車両に搭載されて前記車両の搭乗者にコンテンツを提供する車載装置において、
複数のコンテンツを同時並列的に出力可能なコンテンツ源と、
前記コンテンツの音声信号を前記車両の前席に搭乗した前記搭乗者に提供する前席用のスピーカと、
前記コンテンツの音声信号を前記車両の後席に搭乗した前記搭乗者に提供する後席用のスピーカと、
少なくとも音量を調整する音量調整手段を有し、ヘッドフォン又は内蔵のスピーカを選択的に使用して前記音声信号を出力し、前記コンテンツの音声信号及びビデオ信号を前記後席の搭乗者に提供する後席用のモニタと、
前記コンテンツ源から出力される音声信号により、前記前席及び後席のスピーカを駆動する駆動手段と、
前記コンテンツ源から出力される音声信号及びビデオ信号を前記後席用のモニタに出力する出力手段と、
制御手段とを有し、
前記制御手段は、
前記搭乗者の操作に応動して前記コンテンツ源から出力するコンテンツを切り換え、
前記前席及び後席の搭乗者に同一のコンテンツを提供する場合、
前記前席及び後席のスピーカにより該コンテンツの音声信号を出力し、
前記前席及び後席の搭乗者に異なるコンテンツを提供する場合、
前記前席のスピーカにより前記前席の搭乗者に対応するコンテンツの音声信号を提供すると共に、前記後席のスピーカによる音声出力を消音して、前記出力手段を介して前記後席用のモニタにより対応するコンテンツの音声信号を前記後席の搭乗者に提供する
ことを特徴とする車載装置。
【請求項２】
前記制御手段は、
前記前席及び後席の搭乗者に異なるコンテンツを提供する場合にあって、前記後席用のモニタが前記内蔵のスピーカにより前記音声信号を出力する場合、前記後席用のモニタへの音声信号の出力を停止すると共に、前記前席のスピーカによる音声出力に比して、音量を低減して前記対応するコンテンツの音声信号を前記後席のスピーカから出力する
ことを特徴とする請求項１に記載の車載装置。
【請求項３】
車両に搭載されて前記車両の搭乗者にコンテンツを提供する車載装置の制御方法において、
前記車載装置は、
複数のコンテンツを同時並列的に出力可能なコンテンツ源と、
前記コンテンツの音声信号を前記車両の前席に搭乗した前記搭乗者に提供する前席用のスピーカと、
前記コンテンツの音声信号を前記車両の後席に搭乗した前記搭乗者に提供する後席用のスピーカと、
少なくとも音量を調整する音量調整手段を有し、ヘッドフォン又は内蔵のスピーカを用いて前記音声信号を出力し、前記コンテンツの音声信号及びビデオ信号を前記後席の搭乗者に提供する後席用のモニタと、
前記コンテンツ源から出力される音声信号により、前記前席及び後席のスピーカを駆動する駆動手段と、
前記コンテンツ源から出力される音声信号及びビデオ信号を前記後席用のモニタに出力する出力手段とを有し、
前記制御方法は、
前記搭乗者の操作に応動して前記コンテンツ源から出力するコンテンツを切り換え、
前記前席及び後席の搭乗者に同一のコンテンツを提供する場合、
前記前席及び後席のスピーカにより該コンテンツの音声信号を出力し、
前記前席及び後席の搭乗者に異なるコンテンツを提供する場合、
前記前席のスピーカにより前記前席の搭乗者に対応するコンテンツの音声信号を提供すると共に、前記後席のスピーカによる音声出力を消音して、前記出力手段を介して前記後席用のモニタにより対応するコンテンツの音声信号を前記後席の搭乗者に提供する
ことを特徴とする車載装置の制御方法。
【発明の詳細な説明】
【技術分野】
【０００１】
本発明は、車載装置及び車載装置の制御方法に関し、例えばカーオーディオ装置に適用することができる。本発明は、前席及び後席の搭乗者に異なるコンテンツを提供する場合、後席側のスピーカを消音すると共に、後席用のモニタを介して後席の音声信号を提供することにより、前席と後席とで異なるコンテンツを同時に楽しむ場合でも、それぞれ対応する音声を明瞭に聴取することができるようにする。
【背景技術】
【０００２】
近年、車載装置であるカーオーディオ装置は、前席と後席とで異なるコンテンツを同時に楽しむことができる装置が提供されている。このような装置に関して、例えば特開２００３−８９３３１号公報には、別途、後席側に操作パネルを設けることにより、搭乗者の使い勝手を向上する方法が提案されている。
【０００３】
ところでこのように前席と後席とで異なるコンテンツを同時に楽しむ場合、前席用のスピーカと後席用のスピーカとで異なるコンテンツの音声を出力することになる。この場合に、前席において、前席用のコンテンツに係る音声を明瞭に聞き取ることができるように音量を設定すると、後席においては、前席のコンテンツによる音声が邪魔になり、後席のコンテンツによる音声を明瞭に聞き取ることが困難になる。またこれとは逆に、後席において、後席用のコンテンツに係る音声を明瞭に聞き取ることができるように音量設定すると、前席においては、この後席に係るコンテンツの音声が邪魔になり、前席用のコンテンツに係る音声を明瞭に聞き取ることが困難になる。
【０００４】
これらによりこのように前席と後席とで異なるコンテンツを同時に楽しむ場合には、それぞれ対応する音声を明瞭に聴取できなくなる問題があった。
【特許文献１】特開２００３−８９３３１号
【発明の開示】
【発明が解決しようとする課題】
【０００５】
本発明は以上の点を考慮してなされたもので、前席と後席とで異なるコンテンツを同時に楽しむ場合でも、それぞれ対応する音声を明瞭に聴取することができる車載装置及び車載装置の制御方法を提案しようとするものである。
【課題を解決するための手段】
【０００６】
かかる課題を解決するため請求項１の発明においては、車両に搭載されて前記車両の搭乗者にコンテンツを提供する車載装置に適用して、前記制御手段は、前記搭乗者の操作に応動して前記コンテンツ源から出力するコンテンツを切り換え、前記前席及び後席の搭乗者に同一のコンテンツを提供する場合、前記前席及び後席のスピーカにより該コンテンツの音声信号を出力し、前記前席及び後席の搭乗者に異なるコンテンツを提供する場合、前記前席のスピーカにより前記前席の搭乗者に対応するコンテンツの音声信号を提供すると共に、前記後席のスピーカによる音声出力を消音して、前記出力手段を介して前記後席用のモニタにより対応するコンテンツの音声信号を前記後席の搭乗者に提供する。
【０００７】
また請求項３の発明においては、車両に搭載されて前記車両の搭乗者にコンテンツを提供する車載装置の制御方法に適用して、前記搭乗者の操作に応動して前記コンテンツ源から出力するコンテンツを切り換え、前記前席及び後席の搭乗者に同一のコンテンツを提供する場合、前記前席及び後席のスピーカにより該コンテンツの音声信号を出力し、前記前席及び後席の搭乗者に異なるコンテンツを提供する場合、前記前席のスピーカにより前記前席の搭乗者に対応するコンテンツの音声信号を提供すると共に、前記後席のスピーカによる音声出力を消音して、前記出力手段を介して前記後席用のモニタにより対応するコンテンツの音声信号を前記後席の搭乗者に提供する。
【０００８】
請求項１の構成により、車両に搭載されて前記車両の搭乗者にコンテンツを提供する車載装置に適用して、前記制御手段は、前記搭乗者の操作に応動して前記コンテンツ源から出力するコンテンツを切り換え、前記前席及び後席の搭乗者に同一のコンテンツを提供する場合、前記前席及び後席のスピーカにより該コンテンツの音声信号を出力し、前記前席及び後席の搭乗者に異なるコンテンツを提供する場合、前記前席のスピーカにより前記前席の搭乗者に対応するコンテンツの音声信号を提供すると共に、前記後席のスピーカによる音声出力を消音して、前記出力手段を介して前記後席用のモニタにより対応するコンテンツの音声信号を前記後席の搭乗者に提供すれば、前記前席及び後席の搭乗者に異なるコンテンツを提供する場合、前席の搭乗者においては、後席のスピーカが消音されていることにより前席用のコンテンツについて、音声信号を明瞭に聞き取ることができる。また後席側にあっては、後席のスピーカが消音されていることにより、また後席のモニタによりヘッドフォンを介して音声信号の提供を受けることにより、後席用のコンテンツに係る音声を明瞭に聞き取ることができる。これらにより前席と後席とで異なるコンテンツを同時に楽しむ場合でも、それぞれ対応する音声を明瞭に聴取することができる。
【０００９】
これにより請求項３の構成によれば、前席と後席とで異なるコンテンツを同時に楽しむ場合でも、それぞれ対応する音声を明瞭に聴取することができる車載装置の制御方法を提供することができる。
【発明の効果】
【００１０】
本発明によれば、前席と後席とで異なるコンテンツを同時に楽しむ場合でも、それぞれ対応する音声を明瞭に聴取することができる。
【発明を実施するための最良の形態】
【００１１】
以下、適宜図面を参照しながら本発明の実施例を詳述する。
【実施例１】
【００１２】
（１）実施例の構成
図２は、本発明の実施例に係るカーオーディオ装置を搭載した車両を示す略線図である。この車両１は、前席左右のドア２ＦＲ、２ＦＬ、後席左右のドア２ＲＲ、２ＲＬにそれぞれ前席用のスピーカ３ＦＲ、３ＦＬ、後席用のスピーカ３ＲＲ、３ＲＬが設けられる。また後席の前方中央、前席の後方に、後席用のリアモニタ４Ｒが設けられ、前席の前方、ダッシュボード中央に、前席用のフロントモニタ４Ｆが設けられる。この実施例に係るカーオーディオ装置は、これらフロントモニタ４Ｆ、リアモニタ４Ｒ、スピーカ３ＦＲ、３ＦＬ、３ＲＲ、３ＲＬにより前席及び後席の搭乗者に各種コンテンツを提供する。
【００１３】
ここで図３は、リアモニタ４Ｒを示す平面図である。リアモニタ４Ｒは、中央に液晶表示パネル等のフラットディスプレイ装置による表示部６が設けられ、この表示部６の左右に、スピーカ７Ｌ、７Ｒが設けられる。また表示部６の下に、音量、音質等を調整する操作子８、ヘッドフォンジャック９が設けられる。リアモニタ４Ｒは、図１に示すように、ヘッドフォンジャック９にヘッドフォンプラグを差し込むと、このヘッドフォンジャック９に内蔵のスイッチ１０により、スピーカ７Ｌ、７Ｒからの音声の提供が停止すると共に、このヘッドフォンジャック９に接続したヘッドフォン１０Ｈから音声の提供が開始され、これにより周囲の騒音を気にすることなく、さらには周囲の人物の邪魔にならないようにして、後席の搭乗者だけで音楽等を楽しむことができるようになされている。またこのようにヘッドフォン１０Ｈにより、又はスピーカ７Ｌ、７Ｒにより音声を出力するようにして、操作子８による電子ボリューム８Ａにより手元で音量を可変できるようになされている。
【００１４】
図１は、この実施例に係るカーオーディオ装置１１の構成を示すブロック図である。なおこの図１に示す構成において、ビデオ信号に係る構成については、記載を省略する。このカーオーディオ装置１１は、前席及び後席で異なるコンテンツを楽しむことができるように、複数のコンテンツを同時並列的に出力可能にコンテンツ源が形成され、この実施例では、このコンテンツ源が、チュナー部１２、ディスク部１３、ラジオチュナー部１４により形成される。
【００１５】
ここでチュナー部１２は、中央処理ユニット（ＣＰＵ：Central Processing Unit ）１５の制御により動作を切り換え、テレビジョン放送を受信してビデオ信号及び音声信号を出力する。ディスク部１３は、同様の中央処理ユニット１５の制御により動作を切り換え、光ディスクを再生してビデオデータ及びオーディオデータを出力する。なおこの実施例では、この光ディスクに、ＤＶＤ（Digital Versatile Disk）、コンパクトディスクが適用される。ディジタルアナログ変換回路（ＤＡＣ）１６は、このディスク部１３で再生されるオーディオデータを音声信号に変換して出力する。ラジオチュナー部１４は、中央処理ユニット１５の制御により動作を切り換え、ラジオ放送を受信して音声信号を出力する。
【００１６】
セレクタ１７は、中央処理ユニット１５の制御により、チュナー部１２、ディスク部１３、ラジオチュナー部１４から出力される音声信号を前席側及び後席側に選択出力する。すなわち搭乗者により前席用及び後席用に１つのコンテンツが選択された場合、このコンテンツに係る音声信号を前席側及び後席側に選択出力する。またこのようにして前席側及び後席側に１つのコンテンツを提供している状態で、搭乗者により、別途、後席側への異なるコンテンツの提供が指示されると、これに対応してそれまで提供していたコンテンツに係る音声信号に代えて、この指示に係る音声信号を後席側に選択出力する。なおセレクタ１７は、チュナー部１２、ディスク部１３、ラジオチュナー部１４から出力されるビデオ信号についても、これら音声信号の選択出力に対応するように、選択的に前席側及び後席側に出力する。このカーオーディオ装置１１では、これら前席側及び後席側に選択出力されるビデオ信号がそれぞれフロントモニタ４Ｆ、リアモニタ４Ｒに出力され、これによりこれらフロントモニタ４Ｆ、リアモニタ４Ｒで同一のコンテンツの映像、又は異なるコンテンツの映像を視聴することができるようになされている。
【００１７】
消音回路１８は、後席用に出力される音声信号をセレクタ１７より入力し、中央処理ユニット１５の制御により、この音声信号を消音する。リアモニタ音声出力回路１９は、有線又は無線による信号出力回路であり、この消音回路１８を介して後席側の音声信号を入力し、この音声信号を後席用のビデオ信号と共にリアモニタ４Ｒに出力する。
【００１８】
電子ボリューム２０は、前席用に出力される音声信号をセレクタ１７より入力し、中央処理ユニット１５の制御により、この音声信号の音量を可変して出力する。フロント音声出力回路２１は、この電子ボリューム２０から出力される音声信号により前席のスピーカ３ＦＲ、３ＦＬを駆動する。
【００１９】
電子ボリューム２４は、中央処理ユニット１５の制御により相補的にオン動作するスイッチ回路２２、２３を介して、セレクタ１７から出力される後席用又は前席用の音声信号を選択的に出力し、中央処理ユニット１５の制御により、この音声信号の音量を可変して出力する。消音回路２５は、この電子ボリューム２４から出力される音声信号を中央処理ユニット１５の制御により消音する。リア音声出力回路２６は、この消音回路２５を介して音声信号を入力し、この音声信号により後席のスピーカ３ＲＲ、３ＲＬを駆動する。
【００２０】
これらによりこのカーオーディオ装置１１では、後席側については、リアモニタ４Ｒに内蔵のスピーカ７Ｒ、７Ｌ、ヘッドフォン１０Ｈ、又は後席のスピーカ３ＲＲ、３ＲＬを選択的に使用して音声信号を提供できるように構成される。
【００２１】
受信部２８は、このカーオーディオ装置１１に係るリモートコマンダーからの赤外線又は無線通信波による遠隔制御信号を受信して中央処理ユニット１５に出力する。操作パネル２９は、音量、コンテンツの選択等の処理を受け付ける操作子が設けられ、これら操作子の操作を中央処理ユニット１５に通知する。
【００２２】
中央処理ユニット１５は、このカーオーディオ装置１１の制御手段であり、受信部２８で受信される遠隔制御信号、操作パネル２９における操作子の操作に応動して、図示しない記録手段に記録された処理プログラムを実行することにより、このカーオーディオ装置１１全体の動作を制御する。なおこの実施例において、この処理プログラムは、このカーオーディオ装置１１に事前にインストールされて提供されるものの、このような事前のインストールに代えて、インターネット等のネットワークを介したダウンロードにより提供するようにしてもよく、さらには記録媒体に記録して提供するようにしてもよい。なおこのような記録媒体には、光ディスク、磁気ディスク、メモリカード等、種々の記録媒体を広く適用することができる。
【００２３】
すなわち中央処理ユニット１５は、受信部２８で受信される遠隔制御信号、操作パネル２９における操作子の操作により、搭乗者の操作に応動して電源を立ち上げ、いわゆるラストメモリの手法により、直前の電源立ち下げ時の状態により、チュナー部１２等より得られるコンテンツを搭乗者に提供する。また搭乗者によりコンテンツの切り換えが指示されると、セレクタ１７の制御により、セレクタ１７から出力する音声信号、ビデオ信号を切り換え、これにより所望するコンテンツを搭乗者に提供する。
【００２４】
この一連の処理において、搭乗者が単にコンテンツを選択した場合には、前席に提供するコンテンツを後席側にも併せて提供し、これにより前席及び後席に同一のコンテンツを提供するように、全体の動作を制御する。
【００２５】
すなわち中央処理ユニット１５は、この場合、セレクタ１７による前席用の音声信号出力を搭乗者により指示されたコンテンツに係る音声信号出力に切り換え、またスイッチ回路２２、２３をそれぞれオフ状態及びオン状態に設定する。また搭乗者により指示された音量となるように電子ボリューム２０、２４を設定し、さらに消音回路２５により音声信号を消音しないように設定する。これにより中央処理ユニット１５は、チュナー部１２、ディスク部１３、ラジオチュナー部１４で取得される音声信号をセレクタ１７により選択して、前席及び後席のスピーカ３ＦＬ、３ＦＲ及び３ＲＬ、３ＲＲにより搭乗者に提供する。またこのようにして提供するコンテンツがディスク部１３によるＤＶＤの光ディスクによるものの場合、又はチュナー部１２によるテレビジョン放送の場合、対応するビデオ信号をそれぞれフロントモニタ４Ｆ、リアモニタ４Ｒに出力する。なお中央処理ユニット１５は、この車両のエンジンが起動している場合、フロントモニタ４Ｆへのビデオ信号の出力を停止し、これにより安全を図るようになされている。
【００２６】
これに対してこのようにして前席と後席とに同一のコンテンツを提供して、この同一のコンテンツがチュナー部１２又はラジオチュナー部１４によるコンテンツの場合に、搭乗者によりディスク部１３によるコンテンツの後席での視聴が指示されると、中央処理ユニット１５は、その時点で前席及び後席に提供しているコンテンツを前席のみに提供するように、また搭乗者により指示されたディスク部１３によるコンテンツを後席にのみ提供するように、全体の動作を切り換える。
【００２７】
すなわちこの場合、中央処理ユニット１５は、セレクタ１７の動作を切り換え、前席側については、引き続きそれまでのコンテンツに係る音声信号を前席側に出力するように設定し、後席側には、ディスク部１３から出力される音声信号を選択出力する。またスイッチ回路２２、２３をそれぞれオン状態及びオフ状態に設定し、これにより後席側については、リアモニタ４Ｒ、後席のスピーカ３ＲＬ、３ＲＲにより音声信号を提供できるように設定する。またこのように音声信号の出力を設定して、後席のスピーカ３ＲＬ、３ＲＲに係る消音回路２５で音声信号を消音するように設定し、これとは逆にリアモニタ４Ｒに係る消音回路１８については、音声信号を消音しないように設定する。またディスク部１３によりＤＶＤを再生する場合には、ディスク部１３によるビデオ信号をリアモニタ４Ｒに出力する。
【００２８】
これにより中央処理ユニット１５は、前席とは異なるコンテンツを後席で楽しむ場合には、電子ボリューム８Ａによる調整機構を有しているリアモニタ４Ｒを介して、後席の搭乗者に音声を提供する。これにより後席の搭乗者にあっては、必要に応じてリアモニタ４Ｒで音量を個別に調整して所望する音量によりコンテンツを楽しむことができる。またこのとき必要に応じてヘッドフォン１０Ｈを用いてコンテンツの音声信号を聴取することができ、これにより前席による音声の影響を受けることなくコンテンツを聴取することができ、さらには前席には影響を与えることなく音声信号を聴取することができ、これらにより前席及び後席において、それぞれコンテンツを明瞭に聴取することができる。
【００２９】
このようにして前席及び後席に異なるコンテンツを提供するようにして、中央処理ユニット１５は、搭乗者の設定により、リアモニタ４Ｒのヘッドフォンジャック９よりヘッドフォン１０Ｈのプラグが引き抜かれると、消音回路１８、２５の動作を切り換え、リアモニタ４Ｒへの音声出力を消音すると共に、後席のスピーカ３ＲＬ、３ＲＲへの音声出力の消音を解除する。また電子ボリューム２４の設定を切り換え、前席側のスピーカ３ＥＬ、３ＦＲによる音声出力に比して、音量を低減して後席のスピーカ３ＲＬ、３ＲＲより音声信号を出力する。
【００３０】
（２）実施例の動作
以上の構成において、このカーオーディオ装置１１では、前席及び後席の搭乗者に同一のコンテンツを提供する場合、搭乗者により指示されたチュナー部１２、ディスク部１３又はラジオチュナー部１４による音声信号がセレクタ１７により選択され、電子ボリューム２０により音量が調整された後、フロント音声出力回路２１の駆動により前席のスピーカ３ＦＬ、３ＦＲから出力される。またセレクタ１７から出力される音声信号がスイッチ回路２３を介して電子ボリューム２４に入力され、ここで音量が調整された後、リア音声出力回路２６の駆動により後席のスピーカ３ＲＬ、３ＲＲから出力される。またこの搭乗者により指示されたコンテンツがビデオ信号を伴うものの場合、このビデオ信号がフロントモニタ４Ｆ、リアモニタ４Ｒで表示される。これによりこの場合、前席及び後席の搭乗者においては、４つのスピーカ３ＦＬ、３ＦＲ、３ＲＬ、３ＲＲにより高い臨場感で所望するコンテンツを楽しむことができる。
【００３１】
これに対して別途、後席で光ディスクによるコンテンツを楽しむ場合、このカーオーディオ装置１１では、スイッチ回路２３がオフ状態に切り換えられ、これによりそれまで提供していたコンテンツの音声について、後席のスピーカ３ＲＬ、３ＲＲからの提供が中止される。またこの光ディスクに係るディスク部１３により再生された音声信号がセレクタ１７により後席用に選択され、この音声信号が消音回路１８、リアモニタ音声出力回路１９によりリアモニタ４Ｒに出力される。またこの音声信号がスイッチ回路２２、電子ボリューム２４を介して消音回路２５に入力され、ここで消音されてリア音声出力回路２６に出力される。
【００３２】
これによりこのカーオーディオ装置１１では、後席のスピーカ３ＲＬ、３ＲＲからは音声出力を停止した状態で、前席のスピーカ３ＦＬ、３ＦＲからは、前席の搭乗者の所望するコンテンツの音声を出力し、また後席の搭乗者に対しては、リアモニタ４Ｒより音声を提供する。これにより後席の搭乗者にあっては、リアモニタ４Ｒで音量を種々に調整して所望する音量によりコンテンツを楽しむことができ、また必要に応じてヘッドフォン１０Ｈにより音声信号を聴取することができる。これにより後席の搭乗者にあっては、前席のスピーカ３ＦＬ、３ＦＲにより音声出力に邪魔されることなく、明瞭に音声を聴取することができる。また前席の搭乗者にあっても、後席に提供する音声出力に邪魔されることなく、前席のスピーカ３ＦＬ、３ＦＲにより明瞭に音声を聴取することができ、これらにより前席と後席とで異なるコンテンツを同時に楽しむ場合でも、それぞれ対応する音声を明瞭に聴取することができる。
【００３３】
しかしながらリアモニタ４Ｒにあっては、前席の背面に配置されていることにより、このリアモニタ４Ｒと前席との位置関係によっては、リアモニタ４Ｒのスピーカ７Ｒ、７Ｌから音声信号を出力するようにすると、前席における音声の聴取を妨げる恐れがある。
【００３４】
これによりこのカーオーディオ装置１１では、搭乗者の設定により、リアモニタ４Ｒでヘッドフォン１０Ｈのプラグが取り外された場合、消音回路１８によりリアモニタ４Ｒへの音声出力が消音され、消音回路２５によりリアスピーカ３ＲＬ、３ＲＲによる音声出力の消音が解除される。また電子ボリューム２４により前席側のスピーカ３ＦＬ、３ＦＲによる音声出力に比して、音量を低減して後席のスピーカ３ＲＬ、３ＲＲより音声信号が出力される。
【００３５】
これによりこのカーオーディオ装置１１では、ヘッドフォン１０Ｈにより音声を聴取しない場合には、搭乗者の選択により、リアモニタ４Ｒのスピーカ７Ｌ、７Ｒにより、又は音量を低下させた後席のスピーカ３ＲＬ、３ＲＲより後席に音声を提供するように構成され、これにより前席における音声聴取の邪魔にならないように設定して、後席に音声を提供することができる。
【００３６】
これによりこのカーオーディオ装置１１では、後席でヘッドフォン１０Ｈにより音声を聴取しない場合でも、前席と後席とで異なるコンテンツによる音声を明瞭に聴取することができる。
【００３７】
（３）実施例の効果
以上の構成によれば、前席及び後席の搭乗者に異なるコンテンツを提供する場合には、後席側のスピーカを消音して、後席用のモニタを介して後席の音声信号を提供することにより、前席と後席とで異なるコンテンツを同時に楽しむ場合でも、それぞれ対応する音声を明瞭に聴取することができる。
【００３８】
またこのように後席用のモニタを介して後席に音声信号を提供するようにして、後席でヘッドフォンを使用しない場合には、前席に比して音量を低減して後席のスピーカにより音声信号を提供することにより、後席でヘッドフォンにより音声を聴取しない場合でも、前席と後席とで異なるコンテンツによる音声を明瞭に聴取することができる。
【実施例２】
【００３９】
なお上述の実施例においては、後席で光ディスクを別途使用可能として後席及び前席で異なるコンテンツを楽しむ場合について述べたが、本発明はこれに限らず、各種ソースにより異なるコンテンツを後席及び前席で楽しむ場合、さらには１つのソースより異なるコンテンツを出力して後席及び前席でそれぞれ楽しむ場合等に広く適用することができる。
【産業上の利用可能性】
【００４０】
本発明は、車載装置及び車載装置の制御方法に関し、例えばカーオーディオ装置に適用することができる。
【図面の簡単な説明】
【００４１】
【図１】本発明の実施例に係るカーオーディオ装置を示すブロック図である。
【図２】図１のカーオーディオ装置を装着した車両を示す略線図である。
【図３】図１のカーオーディオ装置に適用されるリアモニタを示す正面図である。
【符号の説明】
【００４２】
１……車両、３ＦＬ〜３ＲＲ、７Ｌ、７Ｒ……スピーカ、４Ｆ……フロントモニタ、４Ｒ……リアモニタ、１１……カーオーディオ装置、１２……チュナー部、１３……ディスク部、１４……ラジオチュナー部、１５……中央処理ユニット、１７……セレクタ、１８、２５……消音回路、１９……リアモニタ音声出力回路、２０、２４……電子ボリューム、２１……フロント音声出力回路、２２、２３……スイッチ回路、２６……リア音声出力回路
【図１】
2006248253.tif 000003
【図２】
2006248253.tif 000004
【図３】
2006248253.tif 000005